(57)【要約】【課題】ＲＣ造とＳ造との複合構造を基本としつつ、免震構造の建物に適用して最適な構造を提供する。【解決手段】免震装置により免震支持される免震建物の構造であって、柱を鉄筋コンクリート柱１とし、外周梁を鉄筋コンクリート梁２ａとし、内部梁として鉄筋コンクリート梁２ａと鉄骨梁２ｂとを混用し、鉄骨梁２ｂのスパンを鉄筋コンクリート梁２ａのスパンよりも大きく設定する。鉄骨梁２ｂを建物の中央部もしくは外周部に集約配置して建物内に大空間を設ける。【選択図】      図１
2004257130.tif 000002
【特許請求の範囲】
【請求項１】
免震装置により免震支持される免震建物の構造であって、
柱を鉄筋コンクリート柱とし、外周梁を鉄筋コンクリート梁とし、
内部梁として鉄筋コンクリート梁と鉄骨梁とを混用して、鉄骨梁のスパンを鉄筋コンクリート梁のスパンよりも大きく設定することを特徴とする免震建物の構造。
【請求項２】
鉄骨梁を建物の中央部もしくは外周部に集約配置して建物内に大空間を設けることを特徴とする請求項１記載の免震建物の構造。
【発明の詳細な説明】
【０００１】
【発明の属する技術分野】
本発明は建物の構造に係わり、特に免震装置により免震支持される免震建物の構造に関する。
【０００２】
【従来の技術】
周知のように、建物の構造としては鉄筋コンクリート造（ＲＣ造）、鉄骨鉄筋コンクリート造（ＳＲＣ造）、鉄骨造（Ｓ造）による純ラーメン構造が最も一般的である。ＲＣ造はコストの点で最も有利であるが、経済的なスパンは６ｍ程度であるので柱を密に設けざるを得ず、それが制約となって大空間を確保し難いし、設計の自由度は必ずしも高くはない。Ｓ造やＳＲＣ造では大スパンが可能であるが、ＲＣ造に較べてコスト的には不利であるし、規模によっては工期も長くかかる。
【０００３】
そのため、様々な複合的な構造も提案され、たとえば特許文献１には、柱をＲＣ造とし梁をＳ造とする複合構造が提案され、実用化されている。
【０００４】
【特許文献１】
特公平４−７４１６号公報
【０００５】
【発明が解決しようとする課題】
特許文献１に示される複合構造は、ＲＣ造とＳ造の双方の長所を備えるものであって、単なるＲＣ造に比較すればスパンを大きくし得るし、また単なるＳ造に比較すればコスト的に有利ではあるので、比較的低コストで大空間を確保できるが、従来においては単に全ての柱をＲＣ造とし、全ての梁をＳ造とするという単純な形態とされるにとどまっており、したがって建物の規模や形態、用途によっては必ずしも最適な構造となり得ない場合もある。
【０００６】
上記事情に鑑み、本発明は上記のようなＲＣ造とＳ造とによる複合構造を基本としつつ、特に免震建物に適用して最適な構造を提供することを目的とする。
【０００７】
【課題を解決するための手段】
請求項１の発明は、免震装置により免震支持される免震建物の構造であって、柱を鉄筋コンクリート柱とし、外周梁を鉄筋コンクリート梁とし、内部梁として鉄筋コンクリート梁と鉄骨梁とを混用して鉄骨梁のスパンを鉄筋コンクリート梁のスパンよりも大きく設定することを特徴とする。
【０００８】
請求項２の発明は、請求項１の発明の免震建物の構造において、鉄骨梁を建物の中央部もしくは外周部に集約配置して建物内に大空間を設けることを特徴とする。
【０００９】
【発明の実施の形態】
図１に本発明の実施形態を示す。本実施形態は免震装置によって免震支持される免震建物に適用される構造であって、図１（ａ）は基準階の架構を示す平面図であり、この架構は、ＲＣ造の純ラーメン構造を基本としつつ内部梁の一部を鉄骨梁としたＲＣ造とＳ造との複合構造とされているものである。
【００１０】
すなわち、この架構は全ての柱が鉄筋コンクリート柱（ＲＣ柱）１とされ、両方向（Ｘ方向およびＹ方向）の外周梁は全て鉄筋コンクリート梁（ＲＣ梁）２ａとされ、Ｘ方向の内部梁も全てＲＣ梁２ａとされているが、Ｙ方向の内部梁は外周部に位置して外周柱に連なっているもののみが同じくＲＣ梁２ａとされ、それ以外の内部梁はＨ形鋼等の鉄骨からなる鉄骨梁（Ｓ梁）２ｂとされている（図ではＲＣ梁２ａを二重線で示し、Ｓ梁２ｂを単線で示してある）。
【００１１】
そして、外周梁および内部梁としてのＲＣ梁２ａのスパンは通常のＲＣ造の場合の経済的なスパンである６ｍ程度に設定されているが、内部梁としてのＳ梁２ｂのスパンはそれよりも大きく（図示例では２倍）設定され、したがって建物の中央部においてはＲＣ柱１が省略された形態となっていて、そこでのＹ方向の柱間隔は他の位置における柱間隔の２倍に設定されていることになる。
【００１２】
このような複合構造の架構は、通常の単なるＲＣ造の純ラーメン架構の場合と同程度のコストで大空間を確保できるものであり、特に本実施形態ではスパンの大きいＳ梁２ｂを建物内の中央部に集約配置していることから建物の中央部に大空間を確保できるものである。
【００１３】
すなわち、同一形態で同規模の建物の架構として単なる従来一般のＲＣ造の純ラーメン構造を採用する場合には、図１（ｂ）に示すように、ＲＣ柱１を両方向に均等なスパンで密に設置して、全ての柱間に小スパンのＲＣ梁２ａを架設することになり、そのような架構では大空間を確保することは困難であるので、本実施形態の構造では、（ａ）に示したように中央部におけるＲＣ柱１およびＲＣ梁２ａを省略し、それに代えて少数のＳ梁２ｂを設けることとし、そのような変更のみで経済的に大スパン化を実現可能としたのである。
【００１４】
勿論、そのような架構であっても、外周架構や内部架構の一部はＲＣ柱１とＲＣ梁２ａによる頑強な純ラーメン架構によるものであるから、各ＲＣ柱１やＲＣ梁２ａ、Ｓ梁２ｂを適正な設計とすることで建物全体としての構造的な安定性や信頼性は支障なく確保することができるし、特に建物全体を免震構造とすることで通常の非免震建物に較べて地震入力が３〜４割程度も低減されることから、自ずと充分な耐震性能を確保することができるものである。
【００１５】
なお、特許文献１に示される従来の複合構造では全ての梁をＳ梁とするのであるが、そのような構造を本実施形態のような形態の建物にそのまま適用することは、大空間を設けるうえでは必要としない外周梁までもＳ梁とすることになり、それは無駄なコスト増となるし、外壁の構造や仕上げに制約が生じることもあるので有効ではなく、本実施形態のように大空間を設けるために必要最小限の範囲の梁をＳ梁２ｂとすることが最も好ましい。また、建物全体の構造をＳＲＣ造とすることによっても大スパン化が可能であるが、ＳＲＣ造では大幅なコスト増が不可避であるし、鉄骨建て方のために余分な工期も要するので有効ではない。
【００１６】
図２は他の実施形態を示す。これは上記実施形態よりも大規模な建物への適用例であって、上記の場合と同様に全ての柱をＲＣ柱１とし、全ての外周梁をＲＣ梁２ａとし、Ｘ方向の内部梁をＲＣ梁２ａとしたうえで、Ｙ方向の内部梁のうち外周部に位置するものをＳ梁２ｂとし、それ以外のＹ方向の内部梁をＲＣ梁２ａとしたものである。
【００１７】
この場合も、建物全体を通常の単なるＲＣ造とする場合は（ｂ）に示すように多数のＲＣ柱１を密に配置して小スパンのＲＣ梁２ａを建物全体にわたって均等に架設することになり、したがって大空間を確保することは困難であるが、本実施形態のように大空間を設ける範囲にＲＣ梁２ａに代えて少数の大スパンのＳ梁２ｂを集約配置してそこでの柱を省略することにより、同程度のコストで、また構造的な安定性や耐震性を確保しつつ、大空間を支障なく設けることが可能となっている。
【００１８】
なお、本発明は低層ないし中層程度の免震建物に適用して特に最適であるが、建物の規模や形態、用途は特に限定されるものではなく、一般の建物全般に広く適用できるものである。そして、Ｓ梁の設置位置は建物の平面プランに応じて任意に設定すれば良く、上記実施形態のように中央部もしくは外周部にＳ梁を集約配置することに限らず、たとえば所望の位置に分散配置することでも勿論良い。
【００１９】
【発明の効果】
請求項１の発明は、柱を鉄筋コンクリート柱とし、外周梁を鉄筋コンクリート梁とし、内部梁として鉄筋コンクリート梁と鉄骨梁とを混用して鉄骨梁のスパンを鉄筋コンクリート梁のスパンよりも大きく設定するので、頑強なＲＣ造の純ラーメン架構を基本としつつ要所に大スパンの鉄骨梁を設けることにより、同程度のコストで大空間を支障なく設けることが可能であり、免震建物の構造として最適である。
【００２０】
請求項２の発明は、鉄骨梁を建物の中央部もしくは外周部に集約配置することにより、建物の中央部もしくは外周部に大空間を確保することができる。
【図面の簡単な説明】
【図１】本発明の一実施形態の構造を、単なるＲＣ造の純ラーメン架構と比較して示す図である。
【図２】同、他の実施形態を示す図である。
【符号の説明】
１  鉄筋コンクリート柱（ＲＣ柱）
２ａ  鉄筋コンクリート梁（ＲＣ梁）
２ｂ  鉄骨梁（Ｓ梁）
【図１】
2004257130.tif 000003
【図２】
2004257130.tif 000004